(57)【要約】【課題】保冷剤に関すること以外の情報を掲載した表示体を設けることで、保冷体の使用以外にも有効な宣伝媒体となることができる保冷体を提供する。【解決手段】プラスチックフィルム等の包材により所定に製袋して得た包装体１と、この包装体１内へ密封包装された保冷剤２とを有する保冷体Ａにあって、前記包装体１は、その表面に、前記保冷剤２自体の表示３とは異なる他の文字や図形，記号，色彩のうちの一つを選択した、あるいはそれらのうちの選択されたものの組み合わせからなる表示体４を施す。【選択図】    図１
0003101895.tif 000002
【実用新案登録請求の範囲】
【請求項１】
プラスチックフィルム等の包材により所定に製袋して得た包装体と、この包装体内へ密封包装された保冷剤とを有する保冷体にあって、
前記包装体は、その表面に、前記保冷剤自体の表示とは異なる他の文字や図形，記号，色彩のうちの一つを選択した、あるいはそれらのうちの選択されたものの組み合わせからなる表示体を施したことを特徴とする保冷体。
【請求項２】
表示体は、地域や企業，団体などの広告情報や伝達情報を掲載させたことを特徴とする請求項１記載の保冷体。
【考案の詳細な説明】
【技術分野】
【０００１】
本考案は、保冷材を充填包装した保冷体にあって、その保冷剤に関すること以外の情報を掲載した表示体を設けることで、保冷体の使用以外にも有効な宣伝媒体となることができる保冷体に関する。
【背景技術】
【０００２】
現今、食品の運搬や保存等において、該食品の鮮度保持のために使用される保冷材は、一般の社会市場へ多く流通している。
【０００３】
しかしながら、この保冷材にあって、その包材の表面は、保冷材であることや、食べ物ではない、とのような一般的な表示だけであるため、それ自体の表現力は希薄なものであり、使用者に対しては余り興味を惹くものではなかった。
そのため、使用に際して保冷材に対して注意をすることがなく、得てして冷凍庫の片隅に収容されているだけのものであった。
【考案の開示】
【考案が解決しようとする課題】
【０００４】
本考案は、前記した問題点を解決するためになされたもので、プラスチックフィルム等の包材により所定に製袋して得た包装体と、この包装体内へ密封包装された保冷剤とを有する保冷体にあって、前記包装体は、その表面に、前記保冷剤自体の表示とは異なる他の文字や図形，記号，色彩のうちの一つを選択した、あるいはそれらのうちの選択されたものの組み合わせからなる表示体を施すことにより、保冷材を充填包装した保冷体にあって、保冷剤に関すること以外の情報を掲載した表示体を設けることで、保冷体の使用以外にも有効な宣伝媒体となることができる保冷体を提供することを目的としている。
【課題を解決するための手段】
【０００５】
前記した目的を達成するための本考案の手段は、
プラスチックフィルム等の包材により所定に製袋して得た包装体と、この包装体内へ密封包装された保冷剤とを有する保冷体にあって、
前記包装体は、その表面に、前記保冷剤自体の表示とは異なる他の文字や図形，記号，色彩のうちの一つを選択した、あるいはそれらのうちの選択されたものの組み合わせからなる表示体を施した保冷体の構成にある。
【０００６】
表示体は、地域や企業，団体などの広告情報や伝達情報を掲載させる。
【考案の効果】
【０００７】
本考案は、保冷剤に関すること以外の情報を掲載した表示体を設けることで、保冷体の使用以外にも有効な宣伝媒体となることができる。
【考案を実施するための最良の形態】
【０００８】
次に、本考案に関する保冷体の一実施例を図面に基づいて説明する。
図１〜図２においてＡは保冷体で、食品や生花，医薬品等の運搬や保存等において、該食品や生花，医薬品等の鮮度保持のために、あるいは、レジャー，スポーツ等における身体のアイシングなどに使用するものであって、包装体１と、保冷剤２とにより基本的に構成される。
【０００９】
前記した包装体１は、ポリエチレンやポリプロピレンなどのプラスチックフィルムやこれらプラスチックフィルムとアルミ箔などによる複合フィルム等を素材とした包材により所定に、例えば、合掌袋などに製袋して得たものである。
【００１０】
前記した保冷剤２は、包装体１内へ所定量が充填された後、ヒートシールなどにより密封包装されたもので、例えば、アクリル酸系の化合物、または天然増粘剤、カルボキシメチルセルロースナトリウム塩（ＣＭＣ）等によるセルロース形等の水溶性高分子物質を主成分としたゲル化剤に、安定剤や防腐剤等を加え、所定粘度を得るために水を添加したものを用いる。
【００１１】
また、前記した包装体１は、その表面に、保冷剤２自体の表示（例えば、用途や注意書き，品名，成分あるいは製造元・販売元などの表示）３とは異なる他の文字や図形，記号，色彩のうちの一つを選択した、あるいはそれらのうちの選択されたものの組み合わせからなる表示体４を施してある。
【００１２】
そして、この表示体４は、地域や企業，団体などの広告情報や伝達情報等を掲載させることもできる。
更には、広告情報や伝達情報は、啓蒙効果のあるイメージや文字・文章など保冷材Ａを利用するものへアピールし得る任意のものが利用できる。
また、この広告情報や伝達情報は、例えば、料理のレシピ等を文章や画像・イラスト等を織り交ぜて表示することで、流通過程において保冷体Ａを使用した食材に対する調理法が連係されて利用されることで、商品の流通が様々な情報提示と相俟って複合的に構成される。この場合、レシピを記載した印刷物をもいいることがないため、食品包装に余分な手間が掛からず、しかも、水分や食品からのドリップ等の液体によって汚れても、その部分を拭き取ることで、表示体４の表示が明確に確認できるので、多少乱暴に取り扱っても表示が損なわれることがない。
前記した例示は単なる一例であって、被保冷物に応じて異なる内容の表示体４との種々の組み合わせが考えられる。
【００１３】
したがって、前記のように構成される本考案実施例の保冷体Ａは、該保冷体Ａの製造元・販売元以外における他の広告主の表示体４を、すなわち、包装体１内に密封包装された保冷剤２自体の表示（例えば、用途や注意書き，品名，成分あるいは製造元・販売元などの表示）３とは異なる他の文字や図形，記号，色彩のうちの一つを選択した、あるいはそれらのうちの選択されたものの組み合わせからなる表示体４を、図２に示すように、包装体１の表面に印刷等により施すことにより、保冷体Ａの利用者は、その利用のたびに，包装体１に表示された表示体４に触れることになって、その表示内容が利用者に注意を起こさせ、あるいは興味を抱かせるといった注目が得られる。
特に、保冷剤２自体の表示３とは異なる表示体４を包装体１に施すことにより、一層、利用者の注目度が向上して、広告媒体としての大きな効果が発揮される。
【００１４】
また、保冷剤２自体の表示３とは異なる表示体４を包装体１に施し、この表示体４の広告を行うことにより、この広告収入によって保冷体Ａ自体の原資が抑えられ、保冷体Ａを安価に市場提供でき、あるいは、販売促進要物品として利用できるので、保冷体Ａの使用度合いや頻度が増大して、食品や生花，医薬品等の鮮度保持のための目的が十分に達成される。
【図面の簡単な説明】
【００１５】
【図１】本考案に関する保冷体の一実施例を一部を破断して示す裏側の斜視図である。
【図２】図１における保冷体の表側を示す斜視図である。
【符号の説明】
【００１６】
Ａ…保冷体．１…包装体．２…保冷剤．３…保冷剤２自体の表示．４…他の表示体
【図１】
0003101895.tif 000003
【図２】
0003101895.tif 000004